(57)【要約】【課題】バーナーの火炎が被加熱体の底に沿って拡がるのを抑止して、輻射熱が使用者側に拡がるのを抑止する。【解決手段】ガスコンロ１は、コンロ本体２とガスバーナー３と五徳４を備え、コンロ本体２上の五徳４の前方側には、ガスバーナー３の炎孔部３Ａの前方側に遮熱壁５Ａを形成し、遮熱壁５Ａの上面５Ｂ位置を五徳４の支持位置と同高さにした遮熱体５が配置され、遮熱壁５Ａの上面５Ｂの位置をコンロ本体２における前後に位置調整自在に配置した。【選択図】図１
2014234956.tif 000002
【特許請求の範囲】
【請求項１】
コンロ本体とガスバーナーと五徳を備え、
前記コンロ本体上の前記五徳の前方側には、前記ガスバーナーの炎孔部の前方側に遮熱壁を形成し、該遮熱壁の上面の位置を前記五徳の支持位置と同高さにした遮熱体が配置され、
前記遮熱壁の上面の位置を前記コンロ本体における前後に位置調整自在に配置したことを特徴とするガスコンロ。
【請求項２】
前記遮熱体は、前記コンロ本体の左右に延設して上下に立設する前記遮熱壁と前記コンロ本体上に前記遮熱壁を支持する支持部を備えることを特徴とする請求項１記載のガスコンロ。
【請求項３】
前記五徳は、外周枠と該外周枠から内側に延びる複数の爪部を備え、前記爪部の長さが前記コンロ本体の前方側に対して前記コンロ本体の後方側を長くしていることを特徴とする請求項１又は２記載のガスコンロ。
【請求項４】
前記コンロ本体の前方側には前記遮熱体を目隠しする天板が設けられ、該天板と前記コンロ本体の上面との間に空気流通可能な間隙が形成されていることを特徴とする請求項１〜３のいずれか１項に記載のガスコンロ。
【請求項５】
前記遮熱体は、前記コンロ本体に設けた天板に摺動自在に取り付けられていることを特徴とする請求項１〜３のいずれか１項に記載のガスコンロ。
【発明の詳細な説明】
【技術分野】
【０００１】
本発明は、ガスコンロに関するものである。
【背景技術】
【０００２】
ガスコンロは、通常、コンロ本体にガスバーナーと五徳を備えている。以後の説明において、コンロ本体の前方側とは、ガスコンロの使用者がコンロ本体に対して対面する側であり、コンロ本体の後方側とは前述した前方側に対向する側を指している。また、コンロ本体の左右とは、コンロ本体の前方側に立つ使用者からみた左右を指している。
【０００３】
下記特許文献１に記載された従来のガスコンロは、ガスバーナーの炎孔部を包囲するように設けられる汁受け部の上端周辺に、複数の爪部を具備する五徳が載置されたガスコンロであって、汁受け部及びこれの外周域が、バーナーの炎孔部からの炎による輻射熱によって不用意に加熱されないようにするために、五徳と一体に環状体を設け、この環状体を、バーナーの炎孔部からの輻射熱を遮る位置で且つ、汁受け部の周壁の内面に沿った位置に配設したものである。
【先行技術文献】
【特許文献】
【０００４】
【特許文献１】特開平９−３１８０７５号公報
【発明の概要】
【発明が解決しようとする課題】
【０００５】
前述した従来のガスコンロによると、バーナーの炎孔部からの輻射熱を環状体で遮ることはできるが、これでは、環状体と一体の五徳自体が加熱されることになり、加熱された五徳から周囲に熱が放出されることになる。また、小さい直径の鍋などの被加熱体の底を五徳上に載せてバーナーの炎で加熱する場合に、被加熱体の底に達した炎は、環状体で火炎がコンロ前方に溢れることになるので、鍋直径によっては環状体による遮熱機能を発揮できない問題がある。
【０００６】
このように、従来のガスコンロでは、バーナーからの燃焼排気と輻射熱が周囲に排出されることになり、使用者の居る位置及び厨房環境の温度が上昇してしまい、空調などによる多量のエネルギー消費に繋がってしまうという問題があった。
【０００７】
本発明は、このような問題に対処することを課題の一例とするものである。すなわち、バーナーの火炎が被加熱体の底に沿って拡がるのを抑止して、輻射熱が使用者側に拡がるのを抑止するガスコンロを提供すること、また、被加熱体の底の大きさに拘わらず、使用者側に拡がる輻射熱を効果的に抑止することができること、等が本発明の目的である。
【課題を解決するための手段】
【０００８】
このような目的を達成するために、本発明によるガスコンロは、以下の構成を少なくとも具備するものである。
コンロ本体とガスバーナーと五徳を備え、前記コンロ本体上の前記五徳の前方側には、前記ガスバーナーの炎孔部の前方側に遮熱壁を形成し、該遮熱壁の上面の位置を前記五徳の支持位置と同高さにした遮熱体が配置され、前記遮熱壁の上面の位置を前記コンロ本体における前後に位置調整自在に配置したことを特徴とするガスコンロ。
【発明の効果】
【０００９】
このような特徴を有するガスコンロは、五徳の前方側に配置された遮熱体によって加熱された五徳から放出される熱を遮断することができると共に、遮熱体における遮熱壁の上面に被加熱体の底面を載置させることで、遮熱壁と被加熱体の底面が密着することになり、被加熱体の底面に沿って拡がろうとする火炎及び燃焼排気を効果的に遮断することができる。これによって、前方側への輻射熱の拡がりを抑止することができる。また、遮熱体をコンロ本体における前後に位置調整自在に配置しているので、底面の大きさが異なる各種の被加熱体に対しても、前方への輻射熱の拡がり抑止効果を良好に確保することができる。
【図面の簡単な説明】
【００１０】
【図１】本発明の実施形態に係るガスコンロを示しており、（ａ）が平面視した説明図、（ｂ）が側面視した説明図である。
【図２】本発明の他の実施形態に係るガスコンロを示しており、（ａ）が平面視した説明図、（ｂ）が側面視した説明図である。
【図３】図２に示したガスコンロの遮熱体と天板の構成例を示した説明図である。
【図４】図２に示したガスコンロの遮熱体と天板の構成例を示した説明図である。
【発明を実施するための形態】
【００１１】
以下、図面を参照しながら本発明の実施形態を説明する。図１は、本発明の実施形態に係るガスコンロを示しており、（ａ）が平面視した説明図、（ｂ）が側面視した説明図である。ガスコンロ１は、コンロ本体２、ガスバーナー３、五徳４を備えている。コンロ本体２は、前方に操作部２Ａを備えており、図示の例では箱形の筐体を備えている。コンロ本体２の内部にガスバーナー３の混合気形成部が配置されており、ガスバーナー３の炎孔部３Ａがコンロ本体２の上面側に露出している。五徳４は、矩形状又は円形状（図示の例は矩形状）の外周枠４Ｒとこの外周枠４Ｒから内側に延びる複数の爪部４Ａ，４Ｂ，４Ｃ，４Ｄを備えており、外周枠４Ｒが炎孔部３Ａを囲むように配置されている。そして、爪部４Ａ〜４Ｄの上面４ｓが鍋などの被加熱体Ｗの底面Ｗｓを支持する支持面となっている。コンロ本体２、ガスバーナー３、五徳４の構成は図示の例に特に限定されるものではない。
【００１２】
コンロ本体２上の五徳４の前方側には、ガスバーナー３の炎孔部３Ａの前方側に遮熱壁５Ａを形成し、遮熱壁５Ａの上面５Ｂの位置を五徳４の支持位置（上面４ｓの高さ）と同高さにした遮熱体５が配置されている。これによると、鍋などの被加熱体Ｗの底面Ｗｓは五徳４の上面４ｓと遮熱体５の上面５Ｂの両方で支持されている。すなわち、五徳４の上面４ｓと遮熱体５の上面５Ｂとは同一面上（面一）に形成されている。
【００１３】
また、遮熱体５は、遮熱壁５Ａの上面５Ｂの位置をコンロ本体２における前後に位置調整自在に配置している。図示の例では、遮熱体５は、コンロ本体２の左右に延設して上下に立設する遮熱壁５Ａとコンロ本体２上に遮熱壁５Ａを支持する支持部５Ｃを備えており、遮熱壁５Ａと支持部５Ｃによって形成される逆Ｌ字状の配置状態をＬ字状の配置に置き換えることで、上面５Ｂの位置を前後に位置調整自在にしている。
【００１４】
このような構成を備えたガスコンロ１によると、遮熱壁５Ａの上面５Ｂに被加熱体Ｗの底面Ｗｓが密着していることで、ガスバーナー３の炎孔部３Ａから放出された火炎が被加熱体Ｗの底面Ｗｓに当たって前方に拡がろうとしても、遮熱壁５Ａを乗り越えることができない。これによって、火炎及び燃焼排気が遮熱壁５Ａより前方に拡がることを抑止することができる。この際、遮熱体５の上面５Ｂの位置をコンロ本体２の前後に位置調整することができるので、五徳４が外径Ｒ１の底面Ｗｓを有する被加熱体Ｗを載置する場合、外径Ｒ２（Ｒ１＜Ｒ２）の底面Ｗｓを有する被加熱体Ｗを載置する場合のいずれであっても、遮熱壁５Ａの上面５Ｂに底面Ｗｓを密着させて、火炎及び燃焼排気が遮熱壁５Ａを乗り越えるのを抑止することができる。
【００１５】
このようなガスコンロ１では、遮熱壁５Ａの上面５Ｂの上に被加熱体Ｗの底面Ｗｓを載置させるために五徳４に対して被加熱体Ｗの底面Ｗｓを前方に張り出させることが必要になる。この際、コンロ本体２の後方側で底面Ｗｓを安定的に支持するために、五徳４の爪部４Ａ〜４Ｄの長さを工夫しており、前方側の爪部４Ｃ，４Ｄに対して後方側の爪部４Ａ，４Ｂを長くしている。
【００１６】
また、図１に示した例では、コンロ本体２の前方側に遮熱体５を目隠しする天板６が設けられ、天板６とコンロ本体２の上面との間に空気流通可能な間隙Ｇが形成されている。これによると、遮熱体５がガスバーナー３の火炎や燃焼排気で加熱されると、間隙Ｇを通って遮熱体５側に向かう空気流ｆが形成されることになるので、この空気流ｆによって効果的に遮熱体５を空冷することができる。また、遮熱体５は天板６によって目隠しされているので、遮熱体５が加熱された場合にも、遮熱体５から使用者に向かって放出される熱は天板６によって遮られることになる。
【００１７】
図２は、本発明の他の実施形態に係るガスコンロを示しており、（ａ）が平面視した説明図、（ｂ）が側面視した説明図である。前述の実施形態と同一の部位は同一符号を付して重複説明を省略する。このガスコンロ１（１Ａ）は、遮熱体１０が、コンロ本体２の前方部分に設けた天板１１に取り付けられている。この遮熱体１０は、前述した実施形態と同様に、コンロ本体２上の五徳４の前方側に配置されており、ガスバーナー３の炎孔部３Ａの前方側に遮熱壁１０Ａを形成し、この遮熱壁１０Ａの上面１０Ｂの位置を五徳４の支持位置（上面４ｓの位置）と同高さにしている。
【００１８】
図３及び図４は、図２に示したガスコンロ１（１Ａ）の遮熱体１０と天板１１の構成例を示した説明図である。ここに示した例は一例であって特にこの形態に限定されるものではない。図３に示した例では、遮熱体１０は支持板１０Ｃ上に支持されており、支持板１０Ｃの左右両端部には、係合部１０Ｃ１が形成されている。この係合部１０Ｃ１が天板１１の左右端部に係合することで天板１１に遮熱体１０が取り付けられている。また、係合部１０Ｃ１は天板１１の左右端部に沿って移動できるようになっているので、天板１１に対して遮熱体１０は前後に摺動自在になっている。このような構造により、遮熱体１０の上面１０Ｂの位置を前後に位置調整できるようにしている。
【００１９】
図４に示した例では、図３に示した例と同様に遮熱体１０は支持板１０Ｃ上に支持されている。そして、天板１１には、支持板１０Ｃより小さい開口１１Ａが形成され、この開口１１Ａ内に遮熱体１０が配置されている。これによると、開口１１Ａ内を遮熱体１０は摺動自在であり、その際、支持板１０Ｃの周辺部が天板１１の下に位置している。このような構造により、遮熱体１０の上面１０Ｂの位置を前後に位置調整できるようにしている。
【００２０】
以上説明した本発明の実施形態に係るガスコンロ１は、ガスバーナー３の炎孔部３Ａから放出される火炎又は燃焼排気を遮熱体５，１０と被加熱体Ｗの底面Ｗｓとの密着で遮断することができるので、火炎又は燃焼排気が使用者の居るコンロ本体２の前方側に向かうのを効果的に抑制することができる。これによって、使用者は快適に調理などを行うことが可能になる。特に、火炎を大きくした場合にも、被加熱体Ｗの底面Ｗｓに沿って前方に拡がろうとする火炎を遮熱体５，１０と被加熱体Ｗの底面Ｗｓとの密着で遮断することができるので、火力を高めて調理などを行う場合であっても使用者の快適性を維持することができる。また、遮熱体５，１０によって、ガスバーナー３からの燃焼排気と輻射熱が周囲に排出されるのを抑制できるので、周辺環境の温度上昇を抑え、空調などによるエネルギー消費を抑制することができる。
【００２１】
そして、本発明の実施形態に係るガスコンロ１は、遮熱体５，１０の上面５Ｂ，１０Ｂの位置をコンロ本体２における前後に位置調整自在に配置しているので、底面Ｗｓの大きさ（外径）が異なる鍋などの被加熱体Ｗを用いる場合にも、底面Ｗｓと上面５Ｂ，１０Ｂとの密着を確保して、良好な遮熱効果を得ることが可能になる。
【００２２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２３】
１，１Ａ：ガスコンロ，２：コンロ本体，３：ガスバーナー，３Ａ：炎孔部，
４：五徳，４Ａ〜４Ｄ：爪部，４Ｒ：外周枠，４ｓ：上面，
５，１０：遮熱体，５Ａ，１０Ａ：遮熱壁，５Ｂ，１０Ｂ：上面，
５Ｃ：支持部，１０Ｃ：支持板，６，１１：天板
【図１】
2014234956.tif 000003
【図２】
2014234956.tif 000004
【図３】
2014234956.tif 000005
【図４】
2014234956.tif 000006